(57)【特許請求の範囲】
【請求項１】
電子機器のユニットケースに搭載した押ボタン式キーボードスイッチであり、前記スイッチの操作部に連結したキャップ形状の押ボタンに必要事項の情報を照光表示するものにおいて、
前記押ボタンが、スイッチ組立体の操作部に連結した透光性の内キャップと、該内キャップの外側に着脱可能に嵌着されるとともにその周縁に鍔状のフランジを形成した透光性の外キャップとの二重構造キャップになり、かつ内キャップと外キャップとの間に情報内容の文字，デザインを表示したシート状の銘板を介挿保持したものであって、前記内キャップに外キャップをスナップフィット結合してなるとともに前記外キャップのフランジを電子機器ユニットケースの前面に着脱自在に配したケースカバーで抜け止め保持してなることを特徴とする電子機器の押ボタン式キーボードスイッチ。
【請求項２】
請求項１に記載のキーボードスイッチにおいて、当該キーボードスイッチを装備した電子機器が複数の電子マネーに対応するマルチ決済端末であり、かつキーボードスイッチに装備した押ボタンを電子マネーの選択ボタンとして、該押ボタンに電子マネーに関する情報内容の文字，デザインを照光表示したことを特徴とする電子機器の押ボタン式キーボードスイッチ。
【発明の詳細な説明】
【技術分野】
【０００１】
この発明は、例えば自動販売機に搭載した電子マネーの決済端末（非接触式のマルチ型リーダー／ライター）を対象に、該端末に装備して利用可能な電子マネーを選択する押ボタン式キーボードスイッチに関し、詳しくはキーボードスイッチに取付けてユニットケースの前面に配列して必要事項の情報を表示する押ボタンの組立構造に係わる。
【背景技術】
【０００２】
昨今の電子マネー普及化に伴い、電子マネーによる商品のキャッシュレス購入が可能な自動販売機が既に市場に展開している（例えば、非特許文献１参照）。
また最近になり、複数の電子決済サービスに対応し、1台で複数の電子マネーやモバイルクレジットに対応する汎用リーダー／ライターの開発も進められている（例えば、非特許文献２参照）。
次に、自動販売機に搭載する電子マネーの決済端末に関して、現在開発の途上にある複数の電子マネーに対応するマルチ型のリーダー／ライターの概要構成を図９，図１０に示す。まず、図９は電子マネーの決済端末を搭載した自動販売機の正面図であり、１は自動販売機のキャビネット、２はキャビネット１の外扉、３は商品見本を陳列する電照室、４は商品取出口、５はコイン投入口、６は紙幣挿入口で、外扉２の前面には電子マネー決済用のマルチ型リーダー／ライター７が設置されており、その構成概要を図１０に示す。
図１０において、８はリーダー／ライター７のユニットケース、８ａは後記するキーボードスイッチの前面周域を覆うキーボードスイッチカバー、９は電子マネーの機能を備えたＩＣカードあるいは携帯電話に対応する非接触式のリーダー／ライターのアンテナ部、１０は利用する電子マネーの種類を選択する押ボタンである。また、前記押ボタン１０は後述のようにユニットケース８に組み込んだキーボードスイッチに連結してユニットケース８の前面に配列した上で、個々の押ボタン１０には利用可能な電子マネーに関する必要事項の情報（電子マネーの種類など）を照光表示するようにしている。
【０００３】
そして、客が前記の自動販売機で電子マネーを使って商品を購入する際には、購入商品を選択した後に、リーダー／ライター７の押ボタン１０で電子マネーの種類を選択して該当する押ボタン１０を押す。これにより、選択した押ボタンに対応するキーボードスイッチの動作信号を受けてリーダー／ライターがアンテナ部９で選択した種類の電子マネーとデータ送受信を開始する態勢となる。続いてアンテナ部９の前面のタッチエリアに電子マネー（ＩＣカード、あるいは電子マネー機能付きの携帯電話）をかざすと、アンテナ部９との間で非接触式に電子決済が行われ、自動販売機から客が選択した商品が販売される。
【非特許文献１】“次世代型  高付加価値自動販売機２種類を新たに投入”、［online］2004年8月19日、日本コカコーラ、[平成20年2月20日検索]インターネット<URL: http://www.cocacola.co.jp/corporate/release/pdf/365.pdf>
【非特許文献２】“複数の電子マネーに対応する汎用リーダー／ライター”、［online］2006年9月28日、Ｗｅｂ  ＢＣＮ、[平成20年2月20日検索]、インターネット<URL: http://japan.cnet.com/news/ent/story/0,2000056022,20251687,00.htm>
【発明の開示】
【発明が解決しようとする課題】
【０００４】
前記した電子マネー決済用のマルチ型リーダー／ライター（図１０参照）を搭載した自動販売機（図９参照）では、リーダー／ライター７の前面に配列した押ボタン１０に自動販売機で利用可能な電子マネーに関する情報（電子マネーの種類など）を表す文字，デザインを照光表示するようにしている。この場合に、自動販売機で利用可能な電子マネーの指定，追加，変更の設定、および押ボタン１０に表示する必要事項の情報割り付けは、自動販売機のユーザーが現地で行うことが多いことから、これに合わせて電子マネーの選択用押ボタンに表示する情報内容の割り付け，変更が簡単に行えることが望まれる。
そこで、この発明の目的は、自動販売機に搭載した電子決済用のマルチ型リーダー／ライターなどの電子機器を対象に、その電子機器に装備したキーボードスイッチの押ボタンに表示する必要事項の情報割り付け，変更が簡単に行えるようにした押ボタン式キーボードスイッチを提供することにある。
【課題を解決するための手段】
【０００５】
上記目的を達成するために、この発明によれば、電子機器のユニットケースに搭載した押ボタン式キーボードスイッチであり、前記スイッチの操作部に連結したキャップ形状の押ボタンに必要事項の情報を照光表示するものにおいて、前記押ボタンが、スイッチ組立体の操作部に連結した透光性の内キャップと、該内キャップの外側に着脱可能に嵌着されるとともにその周縁に鍔状のフランジを形成した透光性の外キャップとの二重構造キャップになり、かつ内キャップと外キャップとの間に情報内容の文字，デザインを表示したシート状の銘板を介挿保持したものであって、前記内キャップに外キャップをスナップフィット結合してなるとともに前記外キャップのフランジを電子機器ユニットケースの前面に着脱自在に配したケースカバーで抜け止め保持してなる（請求項１）。
【０００６】
また、前記の押ボタン式キーボードスイッチを電子機器が複数の電子マネーに対応するマルチ決済端末（マルチ型リーダー／ライター）であり、そのキーボードスイッチに装備した押ボタンを電子マネーの選択ボタンとして、該押ボタンに電子マネーに関する情報内容の文字，デザインを照光表示させる（請求項２）。
【発明の効果】
【０００７】
上記のように、自動販売機に搭載した電子マネーの決済端末などを対象とする電子機器に装備した押ボタン式キーボードスイッチについて、その押ボタンを、スイッチ組立体の操作部に連結した透光性の内キャップと、該内キャップの外側に着脱可能に嵌着されるとともにその周縁に鍔状のフランジを形成した透光性の外キャップとの二重構造キャップになり、かつ内キャップと外キャップとの間に情報内容の文字，デザインを表示したシート状の銘板を介挿保持したものであって、前記内キャップに外キャップをスナップフィット結合するとともに前記外キャップのフランジを電子機器ユニットケースの前面に着脱自在に配したケースカバーで抜け止め保持するように構成することにより、各押ボタンに割り付けて表示する必要事項の情報の設定，変更を簡単に行うことができる。
特に、電子マネーの決済端末を搭載した自動販売機においては、ロケーション先の現場で決済端末（リーダー／ライター）の設定，変更を行う場合でも、各押ボタンに割り付ける電子マネーの表示，変更作業が簡単に行えてユーザーへのサービス性向上が図れる。
【発明を実施するための最良の形態】
【０００８】
以下、図９，図１０で述べた電子マネーの決済端末（マルチ型リーダー／ライター）のキーボードスイッチを対象に、この発明の実施の形態を図示実施例に基づいて説明する。なお、図１〜図４は第１の実施例、図５，図６は第２の実施例、図７，図８は第３の実施例の構成図であり、図９，図１０に対応する部材には同じ符号を付している。
【実施例１】
【０００９】
まず、この発明の請求項１〜３に対応する第１の実施例の構成を図１〜図４に示す。なお、図１（ａ），（ｂ）は主要部の組立，分解状態の側視断面図、図２は電子マネーの決済端末（マルチ型リーダー／ライター）の分解斜視図、図３は図１に対応する押ボタンの組立手順を表す外観斜視図、図４は図３の部分拡大図である。
図２において、マルチ型リーダー／ライター７のユニットケース８はケース本体と、ケース本体の前面に配したキーボードカバー８ａと、取付ベース兼用の後面カバー８ｂからなり、ケース本体の上部にはリーダー／ライターのアンテナ部９が、下部には当該自動販売機で利用可能な電子マネーを選択する押ボタン１０，および押ボタン１０で操作するキーボードスイッチ組立体１１が組み込まれている。なお、１２はユニットケース８の背面側から螺合してキーボードカバー８ａをケース本体に固定する締結ねじである。ここで、アンテナ部９は前面カバー９ａと、アンテナ保持部材９ｂと、アンテナ基板９ｃと、電子マネーのかざし位置を表示するＬＥＤが実装されたＬＥＤ基板９ｄとの組立体になる。
次に、押ボタン１０は、内キャップ１０ａと外キャップ１０ｂを着脱可能に重ね合わせた二重構造の透光性キャップと、内キャップ１０ａと外キャップ１０ｂとの間に挟み込んで介挿保持したシート状の銘板（電子マネーの種類などを表示する）１０ｃとの組立体になり、内キャップ１０ａを後記のようにキーボードスイッチ組立体１１のスイッチ操作部に連結してユニットケース８の前面に配列している。また、図１（ｂ）で示すように、内キャップ１０ａの側面には係合突起１０ａ−１を、該突起に対向して外キャップ１０ｂの後端縁には係合爪１０ｂ−１を形成し、両キャップを重ね合わせてスナップフィット結合するようにしている。なお、前記キャップ１０ａ，１０ｂは透明樹脂成形品で、その後端周縁には鍔状のフランジを形成している。また、前端面を除く周面域に遮光処理を施してもよい。
【００１０】
また、前記の銘板１０ｃには、図４で示すように自動販売機で利用可能な電子マネーの種類を表す“ロゴタイプ”（図示例では「Ｍｏｄｅ１」）、およびこの電子マネーが利用できない状態を表す“×印”がシートの上下に振り分けて透光可能に表示され、それ以外の面域が遮光処理されている。
一方、キーボードスイッチ組立体１１は、プリント基板１１ａの前面に碁盤目状に配列して面実装したタクトスイッチ１１ｂ（図示例では９個）と、タクトスイッチ１１ｂと個々に対応する操作ガイド１１ｃと、組立ベース１１ｄと、前記プリント基板１１ａおよび操作ガイド１１ｃの前面を覆って組立ベース１１ｄに取り付けたパッキン部材１１ｅと、さらに各個のタクトスイッチ１１ｂに並置してプリント基板１１ａに実装した発光素子（ＬＥＤ）１１ｆ，１１ｇとの組立体になり、その組立状態を図１（ｂ）に示す。
なお、前記の操作ガイド１１ｃは発光素子１１ｆから出射する光の導光通路と発光素子１１ｇの導光通路を分けて角筒状のフレーム内部に画成した樹脂成形品で、その中央部には後記する操作スライダーを案内支持する軸受部が形成されている。また、前記のパッキン部材１１ｅは、例えばシリコーンゴムなどの透光性を有する可撓性材の成形品で、その前面側には前記操作ガイド１１ｃが個々に嵌合する凸部が形成されており、さらに凸部の裏面側には押ボタン１０の操作に連動してタクトスイッチ１１ｂのステムを押圧する棒状の操作スライダー１１ｅ−１が一体成形されている。
【００１１】
次に、前記押ボタン１０をキーボードスイッチ組立体１１に連結してユニットケース８に搭載する組立手順を図１（ｂ）により説明する。まず、キーボードスイッチ組立体１１に対して押ボタン１０の内キャップ１０ａをパッキン部材１１ｅの凸部に嵌め込んでタクトスイッチ１１ｂの操作ガイド１１ｃに連結した上でユニットケース８に組み込む。この状態では内キャップ１０ａの前端部がユニットケース８の前面に開口した角穴を通して前方に突き出すようになる（図３，図４参照）。
次いで、ユニットケース８の前方から内キャップ１０ａの端面に銘板１０ｃと外キャップ１０ｂを重ね合わせ、外キャップ１０ｂを押し込んで内キャップ１０ａにスナップフィット結合する。その後、ユニットケース８の前面にキーボードカバー８ａを被せ、ユニットケース８の背面側から締結ねじ１２を螺合してキーボードカバー８ａをユニットケース８に固定する。この組立状態では、押ボタン１０の外キャップ１０ｂの前端面がキーボードカバー８ａに開口した角穴から前方に突き出す（図１（ａ）参照）。なお、この組立状態で外方から外キャップ１０ｂを故意に抜き取ろうとしても、外キャップ１０ｂの周縁に形成した鍔状フランジがキーボードカバー８ａの裏側に引っ掛かって引き外すことができないので、いたずら防止に有効である。
【００１２】
また、リーダー／ライター７の設定変更に伴い、前記の銘板１０ｃを別な銘板に差し替えるには、ユニットケース８の裏面側から締結ねじ１２を緩めてキーボードカバー８ａを一旦外した上で、前方から外キャップ１０ｂを外すことにより、銘板１０ｃの交換，差し替えを簡単に行うことができる。
なお、前記した銘板１０ｃの交換，差し替え作業は、図９のようにリーダー／ライター７を自動販売機の外扉２に装備した状態で、このリーダー／ライター７の設定に合わせて利用可能な種類の電子マネーを押ボタン１０に割り振る際に行うが、この場合には自動販売機の外扉を開放した上で扉の裏面側から前記した締結ねじ１２を緩めた上で、扉前方からキーボードカバー８ａを外すことにより、リーダー／ライター７を外扉２に取付けたままの状態で、特別な工具を使うことなしに簡単に行える。
そして、自動販売機に搭載したリーダー／ライター７の実使用状態では、ユニットケース８の前面に並ぶ押ボタン１０には、各種電子マネーに対応する銘板１０ｃが割り付けて表示される。また、自動販売機の販売待機状態では、その自動販売機で利用可能な電子マネーに対応する押ボタン１０に対しては、図１に示した発光素子１１ｆ，１１ｇのうち、上側の発光素子１１ｆが点灯し、発光素子からの出射光により銘板１０ｃに表記した電子マネーの種類を表す“ロゴタイプ”が押ボタン１０の外キャップ１０ｂの前面に照光表示される。一方、その時点で利用できない電子マネーに対応する押ボタン１０では、下側に並ぶ発光素子１１ｇが点灯して銘板１０ｃの“×印”を外キャップ１０ｂの前面に照光表示する。これにより、客は自分の保有する電子マネーがこの自動販売機で利用できるか否かを目視判別できる。
【実施例２】
【００１３】
次に、この発明の請求項４，５に係わる第２の実施例を図５，図６に示す。すなわち、先記実施例１では押ボタン１０を二重キャップ構造として銘板１０ｃを内キャップと外キャップの間挟持するようにしているのに対して、この実施例では図示のようにキャップ形状になる押ボタン１０の下側面にキャップ前面の裏側に通じるスリット１０−１を形成しておき、押ボタン１０を先にキーボードスイッチ組立体１１に連結した組立状態で、前記スリット１０−１を介して銘板１０ｃを図示矢印のように下方から押ボタン１０の内側に差し込んで保持する。さらに、図示例の銘板１０ｃにはシートの下端にＬ字状折り曲げた係合タブ１０ｃ−１を形成し、該係合タブ１０ｃ−１を押ボタン１０の下側面に形成した凹溝に押し込んで係止保持させて不測な脱落を防ぐようにしている。なお、図中におけるキーボードスイッチ組立体１１は実施例１と同じ構造である。
なお、ユニットケース８に前記押ボタン１０を組み付けた上で、ユニットケース８の前面にキーボードカバー８ａを取付けたリーダー／ライターの組立状態では、押ボタン１０に形成したスリット１０−１がユニットケース８の前面に配したキーボードカバー８ａの背後に隠れているので、外方から銘板１０ｃを抜き取れない。また、シート差し込み用のスリット１０−１を押ボタン１０の下側面に開口したので、屋外の自動販売機に雨水が降りかかっても滴がスリット１０−１に浸入して銘板１０ｃを濡らすおそれもない。
【実施例３】
【００１４】
次に、この発明の請求項６，７に係わる第３の実施例を図７，図８に示す。この実施例は先記実施例１，２のように銘板１０ｃを使わずに、電子マネーの種類に対応する“ロゴタイプ”（図示例では、「Ｍｏｄｅ１」），およびその電子マネーが利用できない状態を表す“×印”を押ボタン自身に形成して照光表示させるようにしている。
そのために、この実施例では図示のように押ボタン１０を、キャップ形のベース部１０ｄと、該ベース部１０ｄの前面に着脱可能に差し込み結合した表示部１０ｅとに二分割した上で、表示部１０ｅには電子マネーの“ロゴタイプ”および“×印”の文字，デザインンを上下に並べて表示するようにしている。また、前記ベース部１０ｄの左右両側縁には表示部１０ｅの差し込み保持するレール状の支持ガイド１０ｄ−１を形成し、表示部１０ｅには左右両側縁に沿って差し込みキー１０ｅ−１を形成し、該差し込みキー１０ｅ−１を前記支持ガイド１０ｄ−１に上方から差し込んで係止固定する。なお、表示部１０ｅは透明樹脂成形品で形成されているが、ここに表示する“ロゴタイプ”，“×印”の表示部分を透光状態に残し、残りの面域を非透光処理して先記実施例１，２の銘板１０ｃと同様に発光素子の点灯によって押ボタン１０の表面に照光表示するようにしてもよい。
上記の構成で、押ボタン１０に表示する電子マネーの情報を変更する場合には、前記表示部１０ｅを抜き取り、別な種類の電子マネーを表示した表示部と差し替えればよい。
【００１５】
なお、前記した第１，第２，第３の実施例のキーボードスイッチは、いずれも自動販売機に搭載した電子マネーの決済端末であるマルチ型リーダー／ライター７を対象としているが、この発明はこれに限定されるものではなく、リーダー／ライター以外の電子機器に装備した押ボタン式キーボードスイッチにも同様に実施適用できることは勿論である。
【図面の簡単な説明】
【００１６】
【図１】本発明の第１の実施例に係わる押ボタン式キーボードスイッチの組立構造図で、（ａ），（ｂ）はそれぞれ組立状態，および分解状態を表す側視断面図
【図２】図１の押ボタン式キーボードスイッチを装備して自動販売機に搭載した電子マネーのマルチ型リーダー／ライターの分解斜視図
【図３】図１に対応する押ボタンの組立手順を表す主要部の外観斜視図
【図４】図３の主要部拡大図
【図５】本発明の実施例２に係わる押ボタンに銘板を差し込み保持する組立手順を表す主要部の外観斜視図
【図６】図５に対応する押ボタンおよびキーボードスイッチ組立体の側視図
【図７】本発明の実施例３に係わる押ボタンの組立手順を表す主要部の外観斜視図
【図８】図８の側視図
【図９】この発明の実施適用例として電子マネー決済用のマルチ型リーダー／ライターを搭載した自動販売機の正面図
【図１０】図９に示したマルチ型リーダー／ライターの概要構成図
【符号の説明】
【００１７】
１    自動販売機のキャビネット
７    電子マネー決済用のマルチ型リーダー／ライター
８    ユニットケース
８ａ  ユニットケースのキーボードカバー
９    リーダー／ライターのアンテナ部
１０    電子マネー選択用の押ボタン
１０ａ  内キャップ
１０ｂ  外キャップ
１０ｃ  銘板
１０ｄ  押ボタンのベース部
１０ｄ−１  表示部の差し込み支持ガイド
１０ｅ  押ボタンの表示部
１０ｅ−１  差し込みキー
１１    キーボードスイッチ組立体
１１ｂ  タクトスイッチ
１１ｃ  操作ガイド
１１ｄ  パッキン部材
１１ｆ，１１ｇ  発光素子（ＬＥＤ）
１２    キーボードカバーの締結ねじ
【図１】
0005056477.tif 000002
【図２】
0005056477.tif 000003
【図３】
0005056477.tif 000004
【図４】
0005056477.tif 000005
【図５】
0005056477.tif 000006
【図６】
0005056477.tif 000007
【図７】
0005056477.tif 000008
【図８】
0005056477.tif 000009
【図９】
0005056477.tif 000010
【図１０】
0005056477.tif 000011